(57)【特許請求の範囲】
【請求項１】
河川周辺に設置され、移動機との間で無線による通信を行う基地局と、
前記通信により得られた情報に基づいて、前記河川周辺に位置する前記移動機の位置情報及び電話番号を取得する位置検索手段と、
ダム管理システムより入力された、ダム湖から河川への放流情報又は前記河川の水位情報を基づいて、前記位置検索手段に対して、前記河川周辺に位置する移動機の前記位置情報及び前記電話番号の取得を要求する検索起動手段と、
前記位置検索手段により取得した前記河川周辺に位置する移動機の前記位置情報及び前記電話番号を第１画面に表示する位置情報表示手段と、
前記河川周辺の地図を記憶する地図データベースとを具備し、
前記位置情報表示手段は、前記移動機の位置情報に基づいて、前記地図データベースに記憶された河川周辺の地図及び該河川周辺に位置する移動機を前記第１画面に表示することを特徴とする放流警報システム。
【請求項２】
前記基地局に繋がる通信回線と前記検索起動手段とに接続され、前記検索起動手段より前記移動機の前記電話番号と共に、該電話番号が有意であることを示す情報を受信した時、前記移動機の電話番号を前記通信回線に自動ダイヤルし、予め記憶しておいた音声メッセージを前記通信回線に送出する電話応答通報手段を更に具備したことを特徴とする請求項１記載の放流警報システム。
【請求項３】
前記検索起動手段は、
前記放流情報及び前記河川の水位情報を第２画面に表示する表示手段と、
自動又は手動のいずれかによって、前記位置検索手段に前記要求をするかを選択する選択手段と、
前記位置検索手段への前記要求を指示する第１スイッチと、
前記位置検索手段への前記要求の停止を指示する第２スイッチとを具備したことを特徴とする請求項１記載の放流警報システム。
【請求項４】
前記ダム管理システムより前記河川の複数領域の水位情報が入力され、前記電話応答通報手段は、前記位置情報と前記河川の複数領域の中で位置する河川領域との関係を示すテーブルを具備し、前記水位情報に対応する複数の音声メッセージを予め記憶し、前記移動機の位置情報に基づき前記テーブルを検索して、該移動機が位置する河川領域を求め、該河川領域の前記水位情報に対応する前記音声メッセージを前記通信回線に送出することを特徴とする請求項２記載の放流警報システム。
【発明の詳細な説明】
【０００１】
【発明の属する技術分野】
本発明は放流警報システムに関し、特に、ダムの放流等による河川水位の上昇による危険水域からの避難勧告を行うシステムに関する。
【０００２】
昨今６月〜７月といった梅雨時期に頻発した集中豪雨のため、中州で釣りをしている人や、川岸でレクリエーションをしている人が逃げ遅れ災害にあったというケースが多数発生した。
【０００３】
ダム管理システムは、下流住民を水害から防ぐという重大な役割のもと導入されているため、上記のような突然の災害には対応しきれていない。従って、今後は突然の大災害でも迅速に且つ確実に防災できることが要求されている。そのため、「危険地帯にいる人」という特定多数の人に対して「確実」に警報を発するという技術が必要である。
【０００４】
【従来の技術】
従来の放流警報システムにおいて、放流を開始したあと、下流水位が３０分で３０ｃｍ上昇する位置に、サイレンやスピーカ等の放流警報設備を設け、ダム管理所から有線／無線により放流警報設備を遠隔制御させることにより下流住民に対して警報を発していた。
【０００５】
【発明が解決しようとする課題】
しかしながら、従来の放流警報システムでは、下流住民に対して警報を発していたため、下流住民の声としては、「うるさい、耳障り」、「声が大きくて家畜に影響を及ぼす」と良い評価が得られていない。
【０００６】
更に、不特定多数に対して一方的に警報を発しているだけであるために、危険地帯から人が避難したかどうかという確認は、従来の放流警報システムではリアルタイムに行うことが不可能であった。実際は、ダム管理所の職員による流域のパトロールでしか確認できていない状態である。
【０００７】
本発明は、このような点に鑑みてなされたものであり、河川周辺にいる移動機を携帯している個人に電話をかけて避難を勧告し、危険地帯から人が避難したことをリアルタイムに確認することのできる放流警報システムを提供することを目的としている。
【０００８】
【課題を解決するための手段】
図１は本発明の原理図である。
この図に示すように、本発明によれば、河川周辺に設置され、移動機２との間で無線による通信を行う基地局４と、通信により得られた情報に基づいて、河川周辺に位置する移動機２の位置情報及び電話番号を取得する位置検索手段６と、ダム管理システム８より入力された、ダム湖から河川３への放流情報又は河川３の水位情報を基づいて、位置検索手段６に対して、河川周辺に位置する移動機２の位置情報及び電話番号の取得を要求する検索起動手段１０と、位置検索手段６により取得した河川周辺に位置する移動機２の位置情報及び電話番号を第１画面に表示する位置情報表示手段１２とを具備したことを特徴とする放流警報システムが提供される。
【０００９】
以上のような構成によれば、検索起動手段１０は、ダム管理システム８より入力された、ダム湖から河川への放流情報又は河川３の水位情報に基づいて、例えば、放流の開始や河川の水位が閾値を越えた場合、位置検索手段６に対して、河川周辺に位置する移動機の位置情報及び電話番号の取得を要求する。
【００１０】
位置検索手段６は、河川周辺に位置する移動機２の位置情報及び電話番号を取得する。位置情報表示手段１２は、位置検索手段６により取得した河川周辺に位置する移動機２の位置情報及び電話番号を第１画面に表示する。そして、例えば、電話番号を電話機より手動でダイヤルして、移動機２に避難勧告を行う。
【００１１】
【発明の実施の形態】
以下、図面を参照して本発明の実施の形態について説明する。
図２は、本発明の実施形態による放流警報システムの構成図である。図３は、本発明の実施形態による放流警報システムの配置図である。
【００１２】
この図に示すように、放流警報システムは、ダム管理システム２０、放流制御システム２２、位置検索システム４０、ＰＨＳ網５２及び複数の基地局５４＃ｉ（ｉ＝１〜ｎ）から成る。
【００１３】
ダム管理システム２０は、図３中のダム管理所９２内に設けられ、ダムのゲート設備の制御、各種データ（ゲートの開度、ダム湖９０周辺の水位、河川の水位、上流の雨量等）を収集し、放流量や流入量といったデータに加工すると共に、「放流情報」、河川の複数の領域（例えば、上流１０６／中流１０８／下流１１０）の「河川水位情報」を放流制御システム２２に出力するものである。
【００１４】
放流制御システム２２は、図３中のダム管理所９２内に設けられ、ダム管理システム２０からの放流情報又は河川の水位情報に従って、自動／手動により、河川周辺に位置する移動機５６の位置情報と電話番号の検索を指示する「位置検索システム起動」信号を位置検索システム４０に送信し、河川９４の周辺の地図、位置検索システム４０から送信された移動機５６の位置情報及び電話番号の画面表示し、自動／手動により、移動機５６にダイヤルして、避難勧告を行うものである。
【００１５】
尚、移動機５６は、良く普及していること、人家を除く河川周辺をサービスエリアとしてカバーすることのできる基地局５４＃ｉ（ｉ＝１〜ｎ）を介して、放流制御システム２２と通信できることが条件となる。このような条件を満足する移動機５６としては、例えば、サービスエリアが比較的小さいＰＨＳ等がある。本実施形態では、移動機５６をＰＨＳ５６と記す。
【００１６】
放流制御システム２２は、操作卓２４、シーケンス部２６、２７、ルータ２８、ＬＡＮ３０、位置情報端末３２、地図データベース３４、電話応答通報装置３６及び電話機３８を有する。
【００１７】
操作卓２４は、ダム管理システム２０から「放流情報」又は「河川水位情報」を入力して、「放流情報」又は「河川水位情報」をＬＥＤ等の表示部に出力し、自動／手動によって、位置検索システム４０の起動をし、自動／手動の設定情報を位置情報端末３２に出力し、「放流情報」及び「河川水位情報」を電話応答通報装置３６に出力し、後述する停止スイッチ７８がオンされる又は位置情報端末３２から起動停止が指示されるまでは、一定のインターバルで位置検索システム４０の起動をするものである。
【００１８】
図４（ａ），（ｂ）は、操作卓を示す図であり、特に、同図（ａ）はキースイッチ及びタッチパネルを示す図、同図（ｂ）は表示部を示す図である。操作卓２４は、図４（ａ）に示すように、キースイッチ７２とタッチパネル７４、図４（ｂ）に示すように、ＬＥＤからなる表示部８０及び図示しないマイクロプロセッサを有する。
【００１９】
キースイッチ７２は、位置検索システム４０の起動を手動／自動で行うのかを設定するスイッチであり、マイクロプロセッサに接続されている。タッチパネル７４は、位置検索システム４０の起動を指示するシステム起動パネル７６及び位置検索システム４０の起動停止を指示するシステム停止パネル７８から成り、マイクロプロセッサに接続されている。
【００２０】
表示部８０は、放流開始情報を出力するＬＥＤ８２、水位異常を出力するＬＥＤ８４、システム異常を出力するＬＥＤ８６及び上流／中流／下流の水位情報を出力するＬＥＤ８８から成り、マイクロプロセッサに接続されている。
【００２１】
プロセッサは、以下の機能を有するソフトウェアを実行するものである。
▲１▼  キースイッチ７２が手動且つシステム起動パネル７６がオンされた場合、位置検索システム４０の起動を指示する「位置検索システム起動」信号（例えば、パルス信号）をシーケンス部２６に送出する。
【００２２】
▲２▼  キースイッチ７２が自動設定された場合、ダム放流システム２０から入力した「放流情報」／「河川水位情報」が避難勧告をする条件（例えば、「放流情報」が放流開始又は河川水位情報が危険水位を越えている場合）を満足すると、位置検索システム４０の起動を指示する「位置検索システム起動」信号をシーケンス部２６に送出する。
【００２３】
▲３▼  ダム管理システム２０から入力した「放流情報」／「河川水位情報」を表示部８０に表示する。
▲４▼  キースイッチ７２の自動／手動の設定情報を位置情報端末３２に出力し、「放流情報」及び「河川水位情報」を電話応答通報装置３６に出力する。
【００２４】
▲５▼  キースイッチ７２が自動設定されている場合は、上記避難勧告をする条件を満足する場合は、位置情報端末３２から起動停止信号を受信するまで、一定のインターバルで位置検索システム４０の起動を指示する「位置検索システム起動」信号をシーケンス部２６に送出する。
【００２５】
▲６▼  キースイッチ７２が手動設定されている場合は、システム停止パネル７８がオンされるまで、一定のインタバルで位置検索システム４０の起動を指示する「位置検索システム起動」信号をシーケンス部２６に送出する。▲５▼，▲６▼のように、一定のインターバルで起動信号を送出するのは、河川９４周辺に位置するＰＨＳ５６が避難したことを確認するためである。
【００２６】
操作卓２４と位置情報端末３２，電話応答通報装置３６との間は、例えば、ＲＳ２３２Ｃにより接続されている。シーケンス部２６は、操作卓２４から「位置検索システム起動」信号を受信すると、位置検索システム４６側のインタフェースに従って、「位置検索システム起動」信号を送出する、例えば、プログラマブル−ロジック−コントローラである。
【００２７】
シーケンス部２７は、シーケンス部２６から「位置検索システム起動」信号を受信すると、システムサーバ４４に「位置検索システム起動」信号を伝送する伝送装置である。シーケンス部２６と２７の間は、例えば、専用線により接続されている。ルータ２８は、位置検索システム４０とＬＡＮ３０により接続するためのものである。
【００２８】
位置情報端末３２は、以下の機能を有する、例えば、パーソナルコンピュータである。
▲１▼  地図データベース３４に記憶した河川９４周辺の地図と共に、システムサーバ４４から受信した河川９４周辺に位置するＰＨＳ５６の位置情報及び電話番号をディスプレイに表示する。
【００２９】
▲２▼  キースイッチ７２が自動設定されている時、電話番号と位置情報に、これらの情報が有意であることを示す通信フラグを付加して、電話応答通報装置３６に出力する。
【００３０】
▲３▼  河川９４周辺に位置するＰＨＳ５６が無くなると、起動停止信号を操作卓２４に出力する。
システムサーバ４４と位置情報端末３２との間の通信プロトコルは、例えば、ＴＣＰ／ＩＰのプロトコルを用いることとする。位置情報は、ＰＨＳ５６が位置する基地局５４＃ｉの位置を示す情報であり、例えば、基地局５４＃ｉの緯度・経度である。位置情報端末３２と電話応答通報装置３６との間は、例えば、ＲＳ２３２Ｃにより接続する。地図データベース３４は、河川９４周辺の地図情報を記憶するデータベースである。
【００３１】
電話応答通報装置３６は、音声記録部、テーブル、音片発生部及び制御部を有する。音声記憶部は、「放流情報」や「水位情報」に応じた複数の音声メッセージを予め記憶した記録媒体であり、例えば、ＩＣ−ＲＯＭカードである。
【００３２】
複数の音声メッセージを記憶するようにしたのは、「放流情報」や「水位情報」に応じて、避難の緊急度（例えば、注意警報、緊急避難等）に応じた音声メッセージを送出するためである。
【００３３】
「放流情報」と「水位情報」の組合せにより、音声メッセージを送出するようにしたのは、同じ「水位情報」であっても、「放流情報」の有無によって、避難勧告をする場合としない場合があるからである。例えば、「水位情報」は危険水位に到達していないが、放流を開始したために、水位が急激に上昇する恐れがある場合は、「注意警報」により避難勧告を行う。
【００３４】
テーブルは、位置情報と河川領域（例えば、上流１０６，中流１０８，下流１０６）との関係を記憶したものである。これは、河川領域により水位情報が異なる場合があるからである。音片発生部は、入力した位置情報に該当する河川領域の水位情報に対応する音声メッセージを音声記憶部から読み出して、再生するものである。音声制御部は、入力した電話番号を公衆網に自動ダイヤルし、音片発生部が再生した音声メッセージを電話回線に送出するものである。
【００３５】
電話機３８は、職員により、ＰＨＳ５６にダイヤルして、ＰＨＳ網５２を介して、避難勧告を行うためのものである。尚、本例では、電話機３８は電話応答通報装置３６に接続する構成としたが、勿論、電話回線に直接接続しても良い。
【００３６】
位置検索システム４０は、システムサーバ４４、ＬＡＮ４６及びルータ４８を有する。システムサーバ４４は、シーケンス部２７から起動信号を受信すると、河川９４の周辺に位置する人１０４が携帯するＰＨＳ５６をＰＨＳ網５２、基地局５４＃ｉ（ｉ＝１〜ｎ）を通して検索し、その位置情報と電話番号をＬＡＮ４６，ルータ４８を介して、ＴＣＰ／ＩＰプロトコルに従って、放流制御システム２２に通知するものである。
【００３７】
尚、システムサーバ４４が検索対象とする河川９４の周辺は、例えば、予めデータベースに登録しておいた、河川９４の周辺に配置された基地局５４＃ｉ（ｉ＝１〜ｎ）のサービスエリア番号（基地局ＩＤ）によって特定するものとする。
【００３８】
ＰＨＳ５６の電話番号は、基地局５４＃ｉ（ｉ＝１〜ｎ）が位置検索時にＰＨＳ５６に対して、応答指示をする際に、ＰＨＳ５６から取得しても良いし、ＰＨＳ５６へ認証要求した時に、ＰＨＳ５６が設定する認証番号からＰＨＳ網５２が有するデータベースから取得しても良い。
【００３９】
ルータ４８は、ＬＡＮ４６を介して、システムサーバ４４と放流制御システム２２とを接続するためのものである。システムサーバ４４と放流制御システム２２との間をルータにより接続するのは、システムサーバ４４が一般に、ダム管理所９２からは遠隔地に位置するからである。
【００４０】
ＰＨＳ網５２は、ＰＨＳ公衆網である。基地局５４＃ｉ（ｉ＝１〜ｎ）は、図３に示す河川９４周辺の住宅を除いて、漏れなくサービスエリアをカバーするよう設置するのが望ましいが、経済性の観点から設置する基地局が限られる場合は、岩場１００や中州１０２の様な危険地域には、必ず設置するようにする。
【００４１】
基地局５４＃ｉ（ｉ＝１〜ｎ）は、既に設置されている放流警報設備９６の屋内や既存／新設の電柱に配設される。尚、ＰＨＳ５６は、人１０４が通話するために携帯する普通の移動機であり、特別なものではない。
【００４２】
図５は、処理の流れ図である。
以下、図５を参照して、図２の放流警報システムの動作説明をする。
（ａ）  ダム管理システム２０
ダム管理システム２０は、ダムのゲート設備の制御、各種データ（ゲートの開度、ダム湖９０周辺の水位、上・中・下流河川の水位、上流の雨量等）を収集し、放流量や流入量といったデータに加工している。
【００４３】
そして、図５に示すように、河川の上流１０６，中流１０８，下流１１０の「河川水位情報」を定期的に、放流する場合は、「河川水位情報」と共に「放流情報」を操作卓２４に出力する。
【００４４】
（ｂ）  位置検索システム４０の起動
ダム管理所９２の職員は、操作卓２４のキースイッチ７２を手動／自動に設定する。操作卓２４は、ダム管理システム２０から入力した「放流情報」、「河川水位情報」等を表示部８０の該当するＬＥＤに表示する。
【００４５】
キースイッチ７２が手動に設定されている場合、職員は、表示部８０に表示された「放流情報」や「河川水位情報」を見て、避難勧告を行う必要がある場合は、システム起動７６のパネルを押す。操作卓２４は、システム起動７６のパネルが押されると、シーケンス部２６に「位置検索システム起動」信号を出力する。
【００４６】
操作卓２４は、キースイッチ７２が自動に設定されている場合、「放流情報」、「河川水位情報」が位置検索システム４０の起動条件を満足（例えば、「放流開始」又は「河川水位が一定値を越えた」）すると、シーケンス部２６に「位置検索システム起動」信号を出力する。尚、起動条件は、プログラミングしておく。
【００４７】
操作卓２４は、キースイッチ７２の手動／自動の設定情報を位置情報端末３２に出力し、「河川水位情報」を電話応答通報装置３６に出力する。シーケンス部２６は、「位置検索システム起動」信号を受信すると、一定のインタフェースに従って、位置検索システム４０側のシーケンス部２７に伝送する。シーケンス部２７は、「位置検索システム起動」信号を受信すると、システムサーバ４４に出力する。
【００４８】
（ｃ）  位置情報と電話番号の取得
システムサーバ４４は、「位置検索システム起動」信号を受信すると、ＰＨＳ網５２を介して、予めデータベースに登録しておいた検索対象である河川９４の周辺のサービスエリア番号に該当する基地局５４＃ｉ（ｉ＝１〜ｎ）に位置検索を指示する。
【００４９】
基地局５４＃ｉ（ｉ＝１〜ｎ）は、制御チャネルを使用して、自局のサービスエリア６０＃ｉに位置するＰＨＳ５６に応答要求をする。サービスエリア６０＃ｉに位置するＰＨＳ５６は、基地局５４＃ｉの応答要求に従って、応答すると共に、自身の電話番号を基地局５４＃ｉに通知する。
【００５０】
尚、ＰＨＳ５６の携帯者の位置検索は、携帯者のプライバシーに関わるので、ＰＨＳ５６の携帯者の許可（例えば、スイッチをオン）を得てから、基地局５４＃ｉ（ｉ＝１〜ｎ）からＰＨＳ５６に検索の応答要求に対して、ＰＨＳ５６から応答をするのが一般的である。
【００５１】
しかし、ＰＨＳ網５２は、ＰＨＳ５６の位置をデータベースに登録しており、ＰＨＳ５６がどのサービスエリアに位置するのかが分かるので、プライバシーよりも公共性を重視すると判断する場合は、検索応答要求をせずに、データベースを検索して、検索対象のサービスエリア６０＃ｉに位置するＰＨＳ５６と該ＰＨＳ５６の電話番号とを取得することも可能である。
【００５２】
システムサーバ４４は、河川９４周辺に位置するＰＨＳ５６の位置情報（例えば、基地局５４＃ｉの緯度・経度）と電話番号をＴＣＰ／ＩＰプロトコルに従って、ＬＡＮ４６、ルータ４８，２８及びＬＡＮ３０を介して、位置情報端末３２に送信する。尚、複数のＰＨＳ５６が河川９４周辺に位置する場合、システムサーバ４４は、位置情報と電話番号を順次、位置情報端末３２に送信する。
【００５３】
（ｄ）  位置情報と電話番号の表示
位置情報端末３２は、河川９４周辺に位置するＰＨＳ５６の位置情報と電話番号を受信すると、地図データベース３４に記憶しておいた河川９４周辺の地図情報をディスプレイに表示すると共に、該当する地図上に、位置情報と電話番号を表示する。
【００５４】
（ｅ）  ＰＨＳ５６に手動発信
キースイッチ７２が手動に設定されている場合、職員は、位置情報端末３２に表示されている位置情報と電話番号を見て、電話機３８からＰＨＳ５６にダイヤルをする。ダイヤルされたＰＨＳ５６に、着信され、職員は、ＰＨＳ５６の携帯者１０２に、「放流情報」や「河川水位情報」に応じた避難勧告を行う。ＰＨＳ５６の携帯者１０４は、音声メッセージを聞き、河川９４から避難することが可能となる。
【００５５】
（ｆ）  ＰＨＳ５６に自動発信
キースイッチ７２が自動に設定されている場合、位置情報端末３２は、位置情報と電話番号を受信すると、（位置情報＋電話番号）に通信フラグをオンにして添付し、ＲＳ２３２Ｃインタフェースに従って、電話応答通報装置３６に出力する。電話応答通報装置３６の音声制御部は、通信フラグをチェックして、通信フラグがオンならば、位置情報と電話番号を取り込む。
【００５６】
音声制御部は、電話番号を公衆網にダイヤルする。ダイヤルされたＰＨＳ５６に、電話回線、ＰＨＳ網５２を介して、基地局５４＃ｉから着信される。ＰＨＳ５６が着信応答をする、音声制御部は、音片発生部に音声メッセージの再生を指示する。
【００５７】
音声制御部は、「位置情報」に該当する操作卓２４より入力した「河川水位情報」をテーブルより求め、「河川水位情報」に対応する音声メッセージを音声記憶部から読み出して、再生する。
【００５８】
尚、避難勧告をする危険水位を満たしていない「河川水位情報」については、音声メッセージは登録されておらず、この場合は、「放流情報」に該当する音声メッセージを音声記憶部から読み出して、再生する。
【００５９】
音声制御部は、音片発生部により再生された音声メッセージを電話回線、ＰＨＳ網５２、基地局５４＃ｉを介して、ＰＨＳ５６に送信する。ＰＨＳ５６の携帯者１０４は、音声メッセージを聞き、河川９４から避難することが可能となる。
【００６０】
（ｇ）  避難の確認
キースイッチ７２が手動設定され、且つシステム起動パネル７６が押されている場合、操作卓２４は、一定のインターバルで「位置検索システム起動」信号をシーケンス部２６，２７を介して、システムサーバ４４に送信する。システムサーバ４４は、上述したように、「位置検索システム起動」信号を受信すると、河川９４周辺に位置するＰＨＳ５６の位置情報と電話番号を位置情報端末３２に送信する。
【００６１】
位置情報端末３２は、河川９４周辺の地図と共に、位置情報と電話番号をディスプレイに表示する。職員は、ディスプレイに表示された位置情報等を見て、全員が避難したかを判断する。従って、位置情報端末３２上の位置をリアルタイムで確認しながら、特定人物に対して、警報を発することが可能となる。
【００６２】
避難していない場合は、再度、電話機３８によりＰＨＳ５６に電話をかけて、避難勧告をする。全員の避難を確認すると、職員は、システム停止パネル７８を押す。操作卓２４は、「位置検索システム起動」信号の送出を停止する。
【００６３】
キースイッチ７２が自動設定され、位置情報端末３２から起動停止信号が送出されておらず、且つ位置検索システム４０の起動条件を満足する場合は、操作卓２４は、一定のインターバルで「位置検索システム起動」信号をシーケンス部２６，２７を介して、システムサーバ４４に送信する。システムサーバ４４は、上述したように、「位置検索システム起動」信号を受信すると、河川９４周辺に位置するＰＨＳ５６の位置情報と電話番号を位置情報端末３２に送信する。
【００６４】
位置情報端末３２は、河川９４の周辺の地図と共に、位置情報と電話番号をディスプレイに表示し、位置情報と電話番号に通信フラグを付加して、電話応答通報装置３６に出力する。電話応答通報装置３６は、上述したように、電話番号に自動発信して、音声メッセージを出力する。
【００６５】
これにより、自動設定されている場合でも、継続的に避難勧告を行うことができる。位置情報端末３２は、システムサーバ４４から位置情報と電話番号を受信しなくなると、起動停止信号を操作卓２４に出力する。操作卓２４は、起動停止信号を入力すると、移動検索システム４４の起動を停止する。
【００６６】
以上説明した実施形態によれば、少人数化しつつあるダム管理所において、集中豪雨等により、河川流域が危険な状態になる前に特定の人に対して警報を発することができ、避難したことも確実に確認できる。ＰＨＳにおいても、世の中の動向としてかなりの低価格で購入できるため、一般住民においても災害対策として容易に取り組むことができる。
【００６７】
【発明の効果】
以上説明したように、本発明によれば、集中豪雨等により、河川流域が危険な状態になる前に特定の人に対して警報を発することができ、避難したことも確実に確認できる。
【図面の簡単な説明】
【図１】本発明の原理図である。
【図２】本発明の実施形態による放流警報システムの構成図である。
【図３】本発明の実施形態による放流警報システムの配置図である。
【図４】図２中の操作卓を示す図である。
【図５】図２の処理の流れ図である。
【符号の説明】
２  移動機
４  基地局
６  位置検索手段
８  ダム管理システム
１０  検索起動手段１０
１２  位置情報表示手段
【図１】
0004053151.tif 000002
【図２】
0004053151.tif 000003
【図３】
0004053151.tif 000004
【図４】
0004053151.tif 000005
【図５】
0004053151.tif 000006